(57)【要約】【課題】書き換え可能な複数の記録層を有する光ディスクに対して、各記録層の状況に応じた記録を可能とする。【解決手段】書き換え可能な複数の記録層を有する光ディスクから読み出した記録方式フラグｆが０であるか否かを判断し（ステップ６０３）、ｆが０であれば記録方式として交互記録方式を採用し（ステップ６０７）、ｆが０でなければ記録方式としてシーケンシャル記録方式を採用する（ステップ６０９）。そして、記録方式に応じてユーザデータを記録する（ステップ６１１）。そこで、各記録層の状況に適した方式が選択されるように、設定情報を設定することにより、各記録層の状況に応じた記録が可能となる。【選択図】図７
2006236480.tif 000002
【特許請求の範囲】
【請求項１】
書き換え可能な複数の記録層を有する光ディスクに情報を記録する記録方法であって、
前記光ディスクの特性を優先する第１の方式及び再生専用の光ディスクとの互換性を優先する第２の方式のいずれかを記録方式に関する設定情報に基づいて選択する工程と；
前記選択する工程で選択された方式にしたがって前記光ディスクに情報を記録する工程と；を含む記録方法。
【請求項２】
前記選択する工程に先立って、前記光ディスクが、全く情報が記録されていないブランクディスクであるか否かを判断する工程と；
前記判断の結果、前記光ディスクがブランクディスクの場合に、前記第１の方式を示す情報を前記設定情報に設定する工程と；を更に含むことを特徴とする請求項１に記載の記録方法。
【請求項３】
前記光ディスクが再フォーマットされると、前記第２の方式を示す情報を前記設定情報に設定する工程を更に含むことを特徴とする請求項１又は２に記載の記録方法。
【請求項４】
前記設定情報を前記光ディスクに記録する工程を更に含むことを特徴とする請求項２又は３に記載の記録方法。
【請求項５】
前記第１の方式は、１つの記録層に連続して記録可能な領域の大きさを予め規定し、前記情報を、同一半径位置にある前記複数の記録層における前記規定された大きさの領域毎に、順次記録する方式であることを特徴とする請求項１〜４のいずれか一項に記載の記録方法。
【請求項６】
前記第２の方式は、前記情報を前記複数の記録層における記録層毎に順次記録する方式であることを特徴とする請求項５に記載の記録方法。
【請求項７】
書き換え可能な複数の記録層を有する光ディスクであって、
前記光ディスクの特性を優先させることを指示する情報及び再生専用の光ディスクとの互換性を優先させることを指示する情報のいずれかが記録されていることを特徴とする光ディスク。
【請求項８】
書き換え可能な複数の記録層を有する光ディスクに対する情報の記録が可能な情報記録装置に用いられるプログラムであって、
前記光ディスクの特性を優先する第１の方式及び再生専用の光ディスクとの互換性を優先する第２の方式のいずれかを記録方式に関する設定情報に基づいて選択する手順と；
前記選択する手順で選択された方式にしたがって前記光ディスクに情報を記録する手順と；を前記情報記録装置の制御用コンピュータに実行させるプログラム。
【請求項９】
前記選択する手順に先立って、前記光ディスクが、全く情報が記録されていないブランクディスクであるか否かを判断する手順と；
前記判断の結果、前記光ディスクがブランクディスクの場合に、前記第１の方式を示す情報を前記設定情報に設定する手順と；を前記制御用コンピュータに更に実行させることを特徴とする請求項８に記載のプログラム。
【請求項１０】
前記光ディスクが再フォーマットされると、前記第２の方式を示す情報を前記設定情報に設定する手順を、前記制御用コンピュータに更に実行させることを特徴とする請求項８又は９に記載のプログラム。
【請求項１１】
前記設定情報を前記光ディスクに記録する手順を、前記制御用コンピュータに更に実行させることを特徴とする請求項９又は１０に記載のプログラム。
【請求項１２】
請求項８〜１１のいずれか一項に記載のプログラムが記録されたコンピュータ読み取り可能な記録媒体。
【請求項１３】
書き換え可能な複数の記録層を有する光ディスクに対する情報の記録が可能な情報記録装置であって、
前記光ディスクの特性を優先する第１の方式及び再生専用の光ディスクとの互換性を優先する第２の方式のいずれかを記録方式に関する設定情報に基づいて選択する制御装置と；
前記制御装置で選択された方式にしたがって前記光ディスクに情報を記録する処理装置と；を備える情報記録装置。
【請求項１４】
前記光ディスクが全く情報が記録されていないブランクディスクの場合に、前記第１の方式を示す情報を前記設定情報に設定する設定装置を更に備えることを特徴とする請求項１３に記載の情報記録装置。
【請求項１５】
前記設定装置は、光ディスクが再フォーマットされると、前記第２の方式を示す情報を前記設定情報に設定することを特徴とする請求項１４に記載の情報記録装置。
【請求項１６】
前記設定装置は、更に前記設定情報を前記光ディスクに記録することを特徴とする請求項１４又は１５に記載の情報記録装置。
【請求項１７】
前記第１の方式は、１つの記録層に連続して記録可能な領域の大きさを予め規定し、前記情報を、同一半径位置にある前記複数の記録層における前記規定された大きさの領域毎に、順次記録する方式であることを特徴とする請求項１３〜１６のいずれか一項に記載の情報記録装置。
【請求項１８】
前記第２の方式は、前記情報を前記複数の記録層における記録層毎に順次記録する方式であることを特徴とする請求項１７に記載の情報記録装置。
【発明の詳細な説明】
【技術分野】
【０００１】
本発明は、記録方法、光ディスク、プログラム及び記録媒体、並びに情報記録装置に係り、更に詳しくは、書き換え可能な複数の記録層を有する光ディスクに情報を記録する方法、書き換え可能な複数の記録層を有する光ディスク、書き換え可能な複数の記録層を有する光ディスクに対して情報の記録が可能な情報記録装置、該情報記録装置に用いられるプログラム及び該プログラムが記録された記録媒体に関する。
【背景技術】
【０００２】
近年、デジタル技術の進歩及びデータ圧縮技術の向上に伴い、コンピュータプログラム、音楽情報、及び映像情報（以下「コンテンツ」ともいう）などを記録するための情報記録媒体として、ＣＤ（compact disc）やＤＶＤ（digital versatile disc）などの光ディスクが注目されるようになり、その低価格化とともに、光ディスクに記録されている情報を再生するための光ディスク装置が普及するようになった。
【０００３】
記録が可能なＣＤ系の光ディスクとしては、ＣＤ−Ｒ（ＣＤ−recordable）及びＣＤ−ＲＷ（ＣＤ-rewritable）などが、記録が可能なＤＶＤ系の光ディスクとしては、ＤＶＤ−ＲＡＭ、ＤＶＤ−Ｒ（ＤＶＤ−recordable）、ＤＶＤ−ＲＷ（ＤＶＤ−rewritable）、ＤＶＤ＋Ｒ（ＤＶＤ＋recordable）及びＤＶＤ＋ＲＷ（ＤＶＤ＋rewritable）などが市販されている。
【０００４】
コンテンツの情報量は、年々増加する傾向にあり、１枚の光ディスクにおける記録容量の更なる増加が期待されている。そして、光ディスクの記録容量を増加させる手段として、（１）記録密度の高密度化、（２）記録層の多層化、などに関する開発が盛んに行われている。
【０００５】
ところで、コンテンツが予め記録されて販売されるＣＤ−ＲＯＭやＤＶＤ−ＲＯＭなどの再生専用の光ディスクを再生するためのドライブ装置又はプレイヤー（以下、便宜上「再生専用ドライブ装置」ともいう）は、すでに広く普及している。そこで、記録が可能な光ディスクであっても、再生専用ドライブ装置で再生できることが好ましい。
【０００６】
また、特に書き換え可能な光ディスクでは、一部のデータを書き換えるためにランダムアクセスができることが好ましい。
【０００７】
しかしながら、再生専用ドライブ装置で再生できることとランダムアクセスができることとが互いに反することとなる場合がある。例えば、ランダムに記録された光ディスクは、未記録部と既記録部とがまだら状に入り混じって存在することになる。このような光ディスクが再生専用ドライブ装置にセットされ、未記録部に光束が集光されると、アドレスを取得できずに制御不能となったり、アドレス異常となったりして、再生エラーを生じるおそれがある。
【０００８】
なお、特許文献１には、複数の記録層を持つ追記型情報記録媒体への記録方法が開示されている。
【０００９】
【特許文献１】特開２００１−１２６２５５号公報
【発明の開示】
【発明が解決しようとする課題】
【００１０】
本発明は、かかる事情の下になされたもので、その第１の目的は、書き換え可能な複数の記録層を有する光ディスクに対して、各記録層の状況に応じた記録が可能な記録方法を提供することにある。
【００１１】
また、本発明の第２の目的は、書き換え可能な複数の記録層を有し、各記録層の状況に応じた記録が可能な光ディスクを提供することにある。
【００１２】
また、本発明の第３の目的は、書き換え可能な複数の記録層を有する光ディスクに対して、各記録層の状況に応じた記録が可能な情報記録装置を提供することにある。
【００１３】
また、本発明の第４の目的は、情報記録装置の制御用コンピュータにて実行され、書き換え可能な複数の記録層を有する光ディスクに対して、各記録層の状況に応じた記録を可能とするプログラム及びそのプログラムが記録された記録媒体を提供することにある。
【課題を解決するための手段】
【００１４】
請求項１に記載の発明は、書き換え可能な複数の記録層を有する光ディスクに情報を記録する記録方法であって、前記光ディスクの特性を優先する第１の方式及び再生専用の光ディスクとの互換性を優先する第２の方式のいずれかを記録方式に関する設定情報に基づいて選択する工程と；前記選択する工程で選択された方式にしたがって前記光ディスクに情報を記録する工程と；を含む記録方法である。
【００１５】
これによれば、書き換え可能な複数の記録層を有する光ディスクに情報を記録する際に、前記光ディスクの特性を優先する第１の方式及び再生専用の光ディスクとの互換性を優先する第２の方式のいずれかが記録方式に関する設定情報に基づいて選択され、その選択された方式にしたがって光ディスクに情報が記録される。従って、書き換え可能な複数の記録層を有する光ディスクに対して、各記録層の状況に応じた記録が可能となる。
【００１６】
この場合において、請求項２に記載の記録方法の如く、前記選択する工程に先立って、前記光ディスクが、全く情報が記録されていないブランクディスクであるか否かを判断する工程と；前記判断の結果、前記光ディスクがブランクディスクの場合に、前記第１の方式を示す情報を前記設定情報に設定する工程と；を更に含むこととすることができる。
【００１７】
上記請求項１及び２に記載の各記録方法において、請求項３に記載の記録方法の如く、前記光ディスクが再フォーマットされると、前記第２の方式を示す情報を前記設定情報に設定する工程を更に含むこととすることができる。
【００１８】
上記請求項２及び３に記載の各記録方法において、請求項４に記載の記録方法の如く、前記設定情報を前記光ディスクに記録する工程を更に含むこととすることができる。
【００１９】
上記請求項１〜４に記載の各記録方法において、請求項５に記載の記録方法の如く、前記第１の方式は、１つの記録層に連続して記録可能な領域の大きさを予め規定し、前記情報を、同一半径位置にある前記複数の記録層における前記規定された大きさの領域毎に、順次記録する方式であることとすることができる。
【００２０】
この場合において、請求項６に記載の記録方法の如く、前記第２の方式は、前記情報を前記複数の記録層における記録層毎に順次記録する方式であることとすることができる。
【００２１】
請求項７に記載の発明は、書き換え可能な複数の記録層を有する光ディスクであって、前記光ディスクの特性を優先させることを指示する情報及び再生専用の光ディスクとの互換性を優先させることを指示する情報のいずれかが記録されていることを特徴とする光ディスクである。
【００２２】
これによれば、光ディスクの特性を優先させることを指示する情報及び再生専用の光ディスクとの互換性を優先させることを指示する情報のいずれかが記録されているため、記録状況に応じた記録が可能となる。
【００２３】
請求項８に記載の発明は、書き換え可能な複数の記録層を有する光ディスクに対する情報の記録が可能な情報記録装置に用いられるプログラムであって、前記光ディスクの特性を優先する第１の方式及び再生専用の光ディスクとの互換性を優先する第２の方式のいずれかを記録方式に関する設定情報に基づいて選択する手順と；前記選択する手順で選択された方式にしたがって前記光ディスクに情報を記録する手順と；を前記情報記録装置の制御用コンピュータに実行させるプログラムである。
【００２４】
これによれば、本発明のプログラムが所定のメモリにロードされ、その先頭アドレスがプログラムカウンタにセットされると、情報記録装置の制御用コンピュータは、光ディスクの特性を優先する第１の方式及び再生専用の光ディスクとの互換性を優先する第２の方式のいずれかを記録方式に関する設定情報に基づいて選択し、その選択された方式にしたがって光ディスクに情報を記録する。すなわち、本発明のプログラムによれば、情報記録装置の制御用コンピュータに請求項１に記載の発明に係る記録方法を実行させることができ、これにより、書き換え可能な複数の記録層を有する光ディスクに対して、各記録層の状況に応じた記録が可能となる。
【００２５】
この場合において、請求項９に記載のプログラムの如く、前記選択する手順に先立って、前記光ディスクが、全く情報が記録されていないブランクディスクであるか否かを判断する手順と；前記判断の結果、前記光ディスクがブランクディスクの場合に、前記第１の方式を示す情報を前記設定情報に設定する手順と；を前記制御用コンピュータに更に実行させることとすることができる。
【００２６】
上記請求項８及び９に記載の各プログラムにおいて、請求項１０に記載のプログラムの如く、前記光ディスクが再フォーマットされると、前記第２の方式を示す情報を前記設定情報に設定する手順を、前記制御用コンピュータに更に実行させることとすることができる。
【００２７】
上記請求項９及び１０に記載の各プログラムにおいて、請求項１１に記載のプログラムの如く、前記設定情報を前記光ディスクに記録する手順を、前記制御用コンピュータに更に実行させることとすることができる。
【００２８】
請求項１２に記載の発明は、請求項８〜１１のいずれか一項に記載のプログラムが記録されたコンピュータ読み取り可能な記録媒体である。
【００２９】
これによれば、請求項８〜１１のいずれか一項に記載のプログラムが記録されているために、コンピュータに実行させることにより、書き換え可能な複数の記録層を有する光ディスクに対して、各記録層の状況に応じた記録が可能となる。
【００３０】
請求項１３に記載の発明は、書き換え可能な複数の記録層を有する光ディスクに対する情報の記録が可能な情報記録装置であって、前記光ディスクの特性を優先する第１の方式及び再生専用の光ディスクとの互換性を優先する第２の方式のいずれかを記録方式に関する設定情報に基づいて選択する制御装置と；前記制御装置で選択された方式にしたがって前記光ディスクに情報を記録する処理装置と；を備える情報記録装置である。
【００３１】
これによれば、制御装置により光ディスクの特性を優先する第１の方式及び再生専用の光ディスクとの互換性を優先する第２の方式のいずれかが記録方式に関する設定情報に基づいて選択され、その選択された方式にしたがって処理装置により光ディスクに情報が記録される。この場合に、光ディスクの記録状況に適した方式が選択されるように、設定情報を設定することができる。従って、書き換え可能な複数の記録層を有する光ディスクに対して、各記録層の状況に応じた記録が可能となる。
【００３２】
この場合において、請求項１４に記載の情報記録装置の如く、前記光ディスクが全く情報が記録されていないブランクディスクの場合に、前記第１の方式を示す情報を前記設定情報に設定する設定装置を更に備えることとすることができる。
【００３３】
この場合において、請求項１５に記載の情報記録装置の如く、前記設定装置は、光ディスクが再フォーマットされると、前記第２の方式を示す情報を前記設定情報に設定することとすることができる。
【００３４】
上記請求項１４及び１５に記載の各情報記録装置において、請求項１６に記載の情報記録装置の如く、前記設定装置は、更に前記設定情報を前記光ディスクに記録することとすることができる。
【００３５】
上記請求項１３〜１６に記載の各情報記録装置において、請求項１７に記載の情報記録装置の如く、前記第１の方式は、１つの記録層に連続して記録可能な領域の大きさを予め規定し、前記情報を、同一半径位置にある前記複数の記録層における前記規定された大きさの領域毎に、順次記録する方式であることとすることができる。
【００３６】
この場合において、請求項１８に記載の情報記録装置の如く、前記第２の方式は、前記情報を前記複数の記録層における記録層毎に順次記録する方式であることとすることができる。
【発明を実施するための最良の形態】
【００３７】
以下、本発明の一実施形態を図１〜図１０（Ｅ）に基づいて説明する。図１には、本発明の一実施形態に係る情報記録装置としての光ディスク装置２０の概略構成が示されている。
【００３８】
この図１に示される光ディスク装置２０は、光ディスク１５を回転駆動するためのモータとしてのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、光ディスク装置２０は、複数の記録層を有する光ディスク（以下、便宜上「多層ディスク」ともいう）に対応しているものとする。さらに、光ディスク１５は記録されている情報の書き換えが可能な情報記録媒体であるものとする。
【００３９】
前記光ピックアップ装置２３は、光ディスク１５の記録面にレーザ光を集光するとともに、その記録面からの反射光を受光するための装置である。この光ピックアップ装置２３は、光ディスク１５に対応した波長のレーザ光を出射する半導体レーザ、該半導体レーザから出射された光束を光ディスク１５の記録面に集光する対物レンズ、前記記録面で反射された戻り光束を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００４０】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６及びＣＰＵ４０に出力され、アドレス情報及びＲＦ信号はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４１】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４２】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４３】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４４】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００４５】
前記インターフェース３８は、双方向の通信インターフェースであり、ＡＴＡＰＩ（AT Attachment Packet Interface）に準拠している。
【００４６】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００４７】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。
【００４８】
次に、上記のようにして構成された光ディスク装置２０を備えたＤＶＤレコーダ１００の概略構成が図２に示されている。なお、図２における接続線は、代表的な信号や情報の流れを示すものであり、各ブロックの接続関係の全てを表すものではない。
【００４９】
この図２に示されるＤＶＤレコーダ１００は、光ディスク装置２０以外に、主制御装置１０１、ハードディスク装置１０２、ＴＶチューナ１０３、ＡＤコンバータ（ＡＤＣ）１０４、ＡＶエンコーダ１０５、ＡＶデコーダ１０６、オン・スクリーン・ディスプレイ（ＯＳＤ）１０７、ＤＡコンバータ（ＤＡＣ）１０８、再生データバッファ１０９、ドライブインターフェース１１０、ＩＲ受光器１１１、入力装置１１５、及び表示装置１１６などを備えている。
【００５０】
前記主制御装置１０１は、ＭＰＵ（Micro Processing Unit）１０１ａ、フラッシュＲＯＭ１０１ｂ、及びＲＡＭ１０１ｃなどから構成されている。このフラッシュＲＯＭ１０１ｂには、ＭＰＵ１０１ａにて解読可能なコードで記述された、ブートプログラムなどが格納されている。ブートプログラムは、ＤＶＤレコーダ１００に電源が投入されると最初に実行されるプログラムである。ＭＰＵ１０１ａは、ブートプログラムに従って、各種チェック、各種情報の取得、及び各種初期設定などを行う。また、ＲＡＭ１０１ｃには、ＭＰＵ１０１ａにて解読可能なコードで記述されたプログラム、ＭＰＵ１０１ａでの処理に用いられる各種データ、及び、ＭＰＵ１０１ａでの処理で得られた各種データなどが格納される。すなわち、ＭＰＵ１０１ａは、フラッシュＲＯＭ１０１ｂ及びＲＡＭ１０１ｃに格納されているプログラムに従ってＤＶＤレコーダ１００の全体を制御する。
【００５１】
前記ハードディスク装置１０２は、ハードディスク１０２ｂと、該ハードディスク１０２ｂを駆動するための駆動装置１０２ａなどから構成されている。ハードディスク１０２ｂには、ＭＰＵ１０１ａにて解読可能なコードで記述された各種プログラム及びＭＰＵ１０１ａでの処理に用いられる各種データなどが格納されている。ハードディスク１０２ｂに格納されているプログラムは、必要に応じてＲＡＭ１０１ｃにロードされ、ＭＰＵ１０１ａにて実行される。また、ハードディスク１０２ｂに格納されている各種データは、必要に応じてＲＡＭ１０１ｃに転送される。
【００５２】
前記ドライブインターフェース１１０は、前記光ディスク装置２０を構成するインターフェース３８と接続され、該インターフェース３８と同じ標準インターフェースに準拠している。
【００５３】
前記ＴＶチューナ１０３は、アンテナ２１０を介して放送を受信する。
【００５４】
前記ＡＤＣ１０４は、ＴＶチューナ１０３の出力信号（映像信号や音声信号など）をそれぞれＡＤ変換する。また、外部入力端子ＩＰを介して、例えばビデオカメラの出力信号をＡＤＣ１０４に供給することができる。
【００５５】
前記ＡＶエンコーダ１０５は、ＡＤＣ１０４の出力信号（映像信号や音声信号など）に対して符号化、圧縮化などを行い、記録用データを生成する。この記録用データは、ドライブインターフェース１１０を介して光ディスク１５又はハードディスク１０２ｂに記録される。
【００５６】
前記再生データバッファ１０９には、光ディスク１５又はハードディスク１０２ｂから再生されたデータ（再生データ）が一時的に格納される。
【００５７】
前記ＡＶデコーダ１０６は、再生データバッファ１０９に格納されている再生データを取り出し、伸長化、復号化などを行う。
【００５８】
前記ＯＳＤ１０７は、テレビジョン受像機（ＴＶ）１００の画面に文字や図形を表示するためのキャラクタ・ジェネレータを備えている。
【００５９】
前記ＤＡＣ１０８は、ＡＶデコーダ１０６の出力信号及びＯＳＤ１０７の出力信号をそれぞれＤＡ変換する。このＤＡＣ１０８の出力信号は、ＴＶ１００に供給される。また、外部出力端子ＯＰを介してＴＶ１００以外のモニタにＤＡＣ１０８の出力信号を供給することができる。
【００６０】
前記ＩＲ受光器１１１は、リモコン送信機２２０からの光信号を受信し、ＭＰＵ１０１ａに通知する。
【００６１】
前記入力装置１１５は、例えばコントロールパネルなどの入力媒体（図示省略）を備え、ユーザから入力された各種情報をＭＰＵ１０１ａに通知する。
【００６２】
前記表示装置１１６は、例えば液晶ディスプレイ（ＬＣＤ）などを用いた表示部（図示省略）を備え、ＭＰＵ１０１ａから指示された各種情報を表示する。
【００６３】
ここで、前記光ディスク１５について説明する。
【００６４】
光ディスク１５は、一例として図３に示されるように、光束の入射側から順に、保護層Ｐ１、記録層Ｌ１（第１の記録層）、保護層Ｐ２、記録層Ｌ２（第２の記録層）、保護層Ｐ３、光反射層ＲＬ及び印刷保護層Ｐ４などから構成されている。また、記録層Ｌ１と保護層Ｐ２との間には金や誘電体などで形成された半透明膜がある。すなわち、光ディスク１５は、いわゆる片面２層ディスクである。なお、各記録層にはスパイラル状又は同心円状の案内用の溝を有するトラックがそれぞれ形成されている。そして、記録層Ｌ１が記録層Ｌ２よりも光ピックアップ装置２３に近くなるように、光ディスク１５は、光ディスク装置２０にセットされる。そこで、光ディスク１５に入射した光束の一部は半透明膜で反射され、残りは半透明膜を透過する。そして、半透明膜を透過した光束は光反射層ＲＬで反射される。以下では、便宜上、半透明膜で反射された光束を「記録層Ｌ１からの反射光」あるいは「記録層Ｌ１での反射光」といい、光反射層ＲＬで反射された光束を「記録層Ｌ２からの反射光」あるいは「記録層Ｌ２での反射光」という。
【００６５】
ところで、片面２層ディスクには、トラックパス（再生走査経路）に関して、オポジットトラックパス（Opposite track path、以下「ＯＴＰ」という）方式と、パラレルトラックパス（Parallel track path、以下「ＰＴＰ」という）方式との２種類がある。
【００６６】
ＯＴＰ方式の片面２層ディスクでは、一例として図４に示されるように、記録層Ｌ１に、ディスクの内周から外周に向かって、リードイン領域、データ領域、中間領域が設けられ、記録層Ｌ２に、ディスクの外周から内周に向かって、中間領域、データ領域、リードアウト領域が設けられている。そして、記録層Ｌ１では、リードイン領域から中間領域へ向かって連続して増加する物理アドレスが割り振られ、記録層Ｌ２では、中間領域からリードアウト領域へ向かって、記録層Ｌ１の物理アドレスをビット反転したアドレスが割り振られている。すなわち、記録層Ｌ２では、中間領域からリードアウト領域に向かって物理アドレスが連続して増加している。この場合のトラックパスの方向は、記録層Ｌ１ではリードイン領域から中間領域に向かう方向であり、記録層Ｌ２では中間領域からリードアウト領域に向かう方向である。
【００６７】
また、ＯＴＰ方式の片面２層ディスクでは、リードイン領域の開始位置とリードアウト領域の終了位置、記録層Ｌ１のデータ領域の終了位置と記録層Ｌ２のデータ領域の開始位置、及び各記録層の中間領域の開始位置及び終了位置は、それぞれ互いに同一半径位置にある。一方、記録層Ｌ１のデータ領域の開始位置と記録層Ｌ２のデータ領域の終了位置とは必ずしも一致しない。この場合には、その差分領域にリードアウトが記録される。なお、半径位置とはディスクの半径方向に関する位置であり、ディスクの回転中心を基準としている。
【００６８】
一方、ＰＴＰ方式の片面２層ディスクでは、一例として図５に示されるように、各記録層に、ディスクの内周から外周に向かって、リードイン領域、データ領域及びリードアウト領域に分割されたインフォメーション領域がそれぞれ設けられている。すなわち、ＰＴＰ方式の片面２層ディスクでは、記録層毎にインフォメーション領域を個別に有し、各記録層は互いに独立した記録層と捉えることができる。そして、各記録層では、リードイン領域からリードアウト領域へ向かって、連続して増加する物理アドレスがそれぞれ割り振られている。この場合のトラックパスの方向は、各記録層ともにリードイン領域からリードアウト領域に向かう方向である。
【００６９】
また、ＰＴＰ方式の片面２層ディスクでは、各記録層におけるリードイン領域の開始位置と終了位置、各記録層におけるデータ領域の開始位置、及び各記録層におけるリードアウト領域の終了位置は、それぞれ互いに同一半径位置にある。一方、各記録層におけるリードアウト領域の開始位置、言い換えると、データ領域の終了位置は、記録層毎に互いに異なる場合がある。この場合には、その差分領域にリードアウトが記録される。
【００７０】
本実施形態では、一例として、光ディスク１５は、ＯＴＰ方式の片面２層ディスクであるものとする。
【００７１】
次に、光ディスク装置２０におけるフォーマット処理について説明する。図６のフローチャートは、ＣＰＵ４０によって実行される一連の処理アルゴリズムに対応している。ＭＰＵ１０１ａからフォーマット要求コマンドを受信すると、図６のフローチャートに対応するプログラムの先頭アドレスがＣＰＵ４０のプログラムカウンタにセットされ、フォーマット処理がスタートする。なお、本実施形態では、一例として、フォーマットはいわゆるバックグランドフォーマットで行われるものとする。
【００７２】
最初のステップ５０１では、光ディスク１５がブランクディスクであるか否かを判断する。光ディスク１５がブランクディスクであれば（図９（Ａ）参照）、ここでの判断は肯定され、ステップ５０３に移行する。なお、記録面に強いレーザ光が照射され、記録内容が全て消去されたディスクもブランクディスクである。
【００７３】
このステップ５０３では、記録方式に関する設定情報としての記録方式フラグｆに、交互記録方式（第１の方式）を意味する０をセットする。この交互記録方式とは、予め設定されている大きさに対応する部分領域（以下、便宜上「交互基準領域」ともいう。例えば１ＥＣＣブロック）毎に、ほぼ同一半径位置のある各記録層に順次記録する方式である。すなわち、１つの記録層に連続して記録可能な領域の大きさを予め規定し、ほぼ同一半径位置にある複数の記録層における前記規定された大きさに対応する領域毎に、順次記録する方式である。
【００７４】
次のステップ５０５では、光ディスク１５のリードイン領域の一部に所定の情報を記録する（図９（Ｂ）参照）。
【００７５】
次のステップ５０９では、記録方式フラグｆを光ディスク１５のリードイン領域に記録する。
【００７６】
次のステップ５１１では、アクセス許可をＭＰＵ１０１ａに通知する。これにより、フォーマットが未完了であっても記録及び再生が可能となる。
【００７７】
次のステップ５１３では、フォーマットを開始する。これにより、エンコーダ２５、レーザ制御回路２４及び光ピックアップ装置２３などによって、所定のデータが記録層Ｌ１の先頭位置から記録層Ｌ１の終了位置に向けて順次書き込まれる（図９（Ｃ）参照）。
【００７８】
次のステップ５１５では、フォーマットが完了したか否かを判断する。フォーマットが完了していれば、ここでの判断は肯定され、フォーマット処理を終了する。一方、フォーマットが完了していなければ、ここでの判断は否定され、フォーマットが完了するまで待機する。なお、フォーマットが完了する前に記録要求あるいは再生要求があると、フォーマットを中断する。そして、記録処理あるいは再生処理が終了すると、フォーマットを再開する。
【００７９】
また、上記ステップ５０１において、光ディスク１５がブランクデイスクでなければ、ここでの判断は否定され、ステップ５０７に移行する。
【００８０】
このステップ５０７では、記録方式フラグｆに、シーケンシャル記録方式（第２の方式）を意味する１をセットする。そして、前記ステップ５０５に移行する。このシーケンシャル記録方式とは、物理アドレスが増加する方向に記録する方式である。すなわち、複数の記録層における記録層毎に順次記録する方式である。
【００８１】
次に、記録処理について説明する。
【００８２】
図７のフローチャートは、ＣＰＵ４０によって実行される一連の処理アルゴリズムに対応している。ＭＰＵ１０１ａから記録要求コマンドを受信すると、図７のフローチャートに対応するプログラムの先頭アドレスがＣＰＵ４０のプログラムカウンタにセットされ、記録処理がスタートする。
【００８３】
最初のステップ６０１では、光ディスク１５のリードイン領域から記録方式フラグｆを読み出す。
【００８４】
次のステップ６０３では、記録方式フラグｆが０であるか否かを判断する。記録方式フラグｆが０であれば、ここでの判断は肯定され、ステップ６０５に移行する。
【００８５】
このステップ６０５では、データ領域に未記録領域があるか否かを判断する。データ領域に未記録領域があれば、ここでの判断は肯定され、ステップ６０７に移行する。
【００８６】
このステップ６０７では、記録方式として交互記録方式を採用し、それに応じた各種設定を行う。
【００８７】
次のステップ６１１では、ユーザデータを記録する。ここでは、一例として図１０（Ａ）に示されるように、記録層Ｌ１のデータ領域の先頭から外周側に向かってユーザデータが記録される。そして、交互基準領域分だけ記録されると、一例として図１０（Ｂ）に示されるように、記録層Ｌ２にフォーカスジャンプし、その位置からアドレスが増加する方向、すなわち内周側に向かってユーザデータが記録される。さらに、記録層Ｌ２において交互基準領域分だけの記録が終わると、記録層Ｌ１にフォーカスジャンプし、次の交互基準領域分だけの記録を行う。すなわち、交互基準領域単位で、記録層Ｌ１への記録と記録層Ｌ２への記録とが交互に行われる。これにより、記録層Ｌ１の既記録領域と同一半径位置に対応する記録層Ｌ２は既記録領域となる。指定されたユーザデータの記録が完了すると、記録処理を終了する。
【００８８】
なお、上記ステップ６０５において、一例として図１０（Ｃ）に示されるように、データ領域に未記録領域がなければ、ここでの判断は否定され、記録処理を終了する。すなわち、ユーザデータの記録は行われない。
【００８９】
また、上記ステップ６０３において、記録方式フラグｆが０でなければ、ここでの判断は否定され、ステップ６０９に移行する。
【００９０】
このステップ６０９では、記録方式としてシーケンシャル記録方式を採用し、それに応じた各種設定を行う。そして、前記ステップ６１１に移行する。この場合には、一例として図１０（Ｄ）に示されるように、ユーザデータは記録層Ｌ１のデータ領域にシーケンシャルに（ここでは、ディスク外周方向に向かって）記録される。そして、記録層Ｌ１のデータ領域に未記録領域がなくなると、記録層Ｌ２にフォーカスジャンプし、物理アドレスが増加する方向に向かって（ここでは、ディスク内周方向に）ユーザデータが記録される。
【００９１】
なお、シーケンシャル記録方式では、単純にアドレスが増加する方向に順次記録をすれば良いが、交互記録方式では、目的アドレス位置にピックアップ装置を移動するためのシーク動作が必要となるため、記録速度がシーケンシャル記録方式よりも遅くなることがある。そこで、交互記録方式で記録が行われる場合には、そのことを主制御装置１０１に通知しても良い。あるいは、主制御装置１０１からの問い合わせに対して、記録速度が遅くなる旨を通知しても良い。
【００９２】
次に、再生処理について説明する。
【００９３】
図８のフローチャートは、ＣＰＵ４０によって実行される一連の処理アルゴリズムに対応している。ＭＰＵ１０１ａから再生要求コマンドを受信すると、図８のフローチャートに対応するプログラムの先頭アドレスがＣＰＵ４０のプログラムカウンタにセットされ、再生処理がスタートする。
【００９４】
最初のステップ７０１では、光ディスク１５のリードイン領域から記録方式フラグｆを読み出す。
【００９５】
次のステップ７０３では、記録方式フラグｆが０であるか否かを判断する。記録方式フラグｆが０であれば、ここでの判断は肯定され、ステップ７０５に移行する。
【００９６】
このステップ７０５では、交互記録方式に対応した各種設定を行う。
【００９７】
次のステップ７０９では、指定されたアドレスの再生を行う。そして、再生処理を終了する。
【００９８】
一方、上記ステップ７０３において、記録方式フラグｆが０でなければ、ここでの判断は否定され、ステップ７０７に移行する。
【００９９】
このステップ７０７では、シーケンシャル記録方式に対応した各種設定を行う。そして、前記ステップ７０９に移行する。
【０１００】
以上の説明から明らかなように、本実施形態に係る光ディスク装置２０では、光ピックアップ装置２３とレーザ制御回路２４とエンコーダ２５と再生信号処理回路２８とによって処理装置が構成されている。
【０１０１】
さらに、ＣＰＵ４０及び該ＣＰＵ４０にて実行されるプログラムとによって制御装置及び設定装置が実現されている。すなわち、図７のステップ６０１、６０３、６０７、６０９、によって制御装置が実現されている。また、図６のステップ５０１、５０３、５０７、５０９によって設定装置が実現されている。
【０１０２】
なお、ＣＰＵ４０によるプログラムに従う処理によって実現した制御装置及び設定装置の少なくとも一部をハードウェアによって構成することとしても良いし、あるいは全てをハードウェアによって構成することとしても良い。
【０１０３】
また、本実施形態では、記録媒体としてのフラッシュメモリ３９に記録されているプログラムのうち、図６及び図７に対応するプログラムによって、本発明に係るプログラムが実行されている。すなわち、図７のステップ６０１、６０３、６０７、６０９、に対応するプログラムによって選択する手順が実行され、図７のステップ６１１に対応するプログラムによって情報（ユーザデータ）を記録する手順が実行され、図６のステップ５０１に対応するプログラムによって判断する手順が実行され、図６のステップ５０３に対応するプログラムによって第１の方式を示す情報を設定情報に設定する手順が実行され、図６のステップ５０７に対応するプログラムによって第２の方式を示す情報を設定情報に設定する手順が実行され、図６のステップ５０９に対応するプログラムによって設定情報を記録する手順が実行されている。
【０１０４】
そして、上記フォーマット処理及び記録処理にて、本発明に係る記録方法が実施されている。すなわち、図７のステップ６０１、６０３、６０７、６０９、によって選択する工程が実施され、図７のステップ６１１によって情報（ユーザデータ）を記録する工程が実施され、図６のステップ５０１によって判断する工程が実施され、図６のステップ５０３、５０７によって設定する工程が実施され、図６のステップ５０９によって設定情報を記録する工程が実施されている。
【０１０５】
以上説明したように、本実施形態に係る光ディスク装置２０によると、光ディスク１５にユーザデータを記録する際に、記録方式フラグｆ（設定情報）に基づいて、記録方式を選択し、その選択された方式にしたがって光ディスク１５にユーザデータを記録する。記録方式フラグｆが０であれば交互記録方式（第１の方式）が選択され、記録方式フラグｆが１であればシーケンシャル記録方式（第２の方式）が選択される。これにより、書き換え可能な複数の記録層を有する光ディスクに対して、各記録層の状況に応じた記録が可能となる。
【０１０６】
また、本実施形態によると、光ディスクがブランクディスクの場合に、記録方式フラグｆに０を設定している。これにより、ユーザが煩雑な設定を行うことなく、光ディスクの特性を優先させることが可能となる。
【０１０７】
また、本実施形態によると、光ディスクが再フォーマットされると、記録方式フラグｆに１を設定している。これにより、ユーザが煩雑な設定を行うことなく、再生専用のディスクとの互換性を優先させることが可能となる。
【０１０８】
また、本実施形態によると、記録方式フラグｆを光ディスクに記録しているため、ユーザデータの記録を複数回に分けて記録する場合であっても、ユーザが煩雑な設定を行うことなく、各記録層の状況に応じた記録が可能となる。
【０１０９】
また、本実施形態に係る光ディスク１５によると、記録方式フラグｆが記録されているため、ユーザが煩雑な設定を行うことなく、各記録層の状況に応じた記録が可能となる。
【０１１０】
なお、上記実施形態では、光ディスク１５がＯＴＰ方式の片面２層ディスクである場合について説明したが、ＰＴＰ方式の片面２層ディスクであっても良い。
【０１１１】
また、上記実施形態では、多層ディスクとして２層ディスクの場合について説明したが、これに限らず、３層以上の記録層を有する光ディスクであっても良い。
【０１１２】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９にロードされれば良い。
【０１１３】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが複数の記録層を有する光ディスクであっても良い。
【０１１４】
また、上記実施形態では、光ディスク１５として、ＣＤ及びＤＶＤ系の情報記録媒体、約４０５ｎｍの波長の光に対応した次世代の情報記録媒体のいずれであっても良い。
【０１１５】
また、上記実施形態では、情報の記録及び再生が可能な光ディスク装置について説明したが、これに限らず、情報の記録、消去及び再生のうち少なくとも記録が可能な光ディスク装置であれば良い。
【０１１６】
また、上記実施形態では、各インターフェースがＡＴＡＰＩの規格に準拠する場合について説明したが、これに限らず、例えばＡＴＡ（AT Attachment）、ＳＣＳＩ（Small Computer System Interface）、ＵＳＢ（Universal Serial Bus）１．０、ＵＳＢ２．０、ＩＥＥＥ１３９４、ＩＥＥＥ８０２．３、シリアルＡＴＡ及びシリアルＡＴＡＰＩのうちのいずれかの規格に準拠しても良い。
【０１１７】
また、上記実施形態では、情報記録装置として光ディスク装置について説明したが、これに限らず、例えば光ディスク装置２０と同等の機能を備えたＤＶＤレコーダであっても良い。
【産業上の利用可能性】
【０１１８】
以上説明したように、本発明の記録方法によれば、書き換え可能な複数の記録層を有する光ディスクに対して、各記録層の状況に応じた記録をするのに適している。また、本発明の光ディスクによれば、書き換え可能な複数の記録層を有し、各記録層の状況に応じた記録をするのに適している。また、本発明の情報記録装置によれば、書き換え可能な複数の記録層を有する光ディスクに対して、各記録層の状況に応じた記録をするのに適している。また、本発明のプログラム及び記憶媒体によれば、情報記録装置に、書き換え可能な複数の記録層を有する光ディスクに対して、各記録層の状況に応じた記録をさせるのに適している。
【図面の簡単な説明】
【０１１９】
【図１】本発明の一実施形態に係る情報記録装置としての光ディスク装置の構成を示すブロック図である。
【図２】図１の光ディスク装置を備えたＤＶＤレコーダの概略構成を示すブロック図である。
【図３】片面２層ディスクを説明するための図である。
【図４】片面２層ディスクにおけるＯＴＰ方式を説明するための図である。
【図５】片面２層ディスクにおけるＰＴＰ方式を説明するための図である。
【図６】フォーマット処理を説明するためのフローチャートである。
【図７】記録処理を説明するためのフローチャートである。
【図８】再生処理を説明するためのフローチャートである。
【図９】図９（Ａ）〜図９（Ｃ）は、それぞれフォーマット処理を説明するための図である。
【図１０】図１０（Ａ）〜図１０（Ｅ）は、それぞれ記録処理を説明するための図である。
【符号の説明】
【０１２０】
１５…光ディスク、２０…光ディスク装置（情報記録装置）、２３…光ピックアップ装置（処理装置の一部）、２４…レーザ制御回路（処理装置の一部）、２５…エンコーダ（処理装置の一部）、２８…再生信号処理回路（処理装置の一部）、３９…フラッシュメモリ（記録媒体）、４０…ＣＰＵ（制御装置、設定装置）、１００…ＤＶＤレコーダ、ｆ…記録方式フラグ（設定情報）。
【図１】
2006236480.tif 000003
【図２】
2006236480.tif 000004
【図３】
2006236480.tif 000005
【図４】
2006236480.tif 000006
【図５】
2006236480.tif 000007
【図６】
2006236480.tif 000008
【図７】
2006236480.tif 000009
【図８】
2006236480.tif 000010
【図９】
2006236480.tif 000011
【図１０】
2006236480.tif 000012